(57)【要約】【課題】大きさや解像度が互いに異なる複数の表示パネルとの重ね合わせに際して、モアレが視認されることを抑えることのできる導電性フィルム、タッチパネル、および、表示装置を提供する。【解決手段】センシング電極線３３ＳＲは、複数の屈曲部を含む屈曲線形状を有し、センシング電極線に沿って互いに隣り合う屈曲部間における第１電極方向Ｄ１の距離、および、第２電極方向Ｄ２の距離が、センシング電極線３３ＳＲにおける屈曲部の並ぶ順序に対し不規則に変化するように、センシング電極線３３ＳＲは構成されている。【選択図】図１２
2016212517.tif 000002
【特許請求の範囲】
【請求項１】
第１面と、前記第１面とは反対側の面である第２面とを有する透明誘電体層と、
前記透明誘電体層の前記第１面にて、第１方向に沿って延びるとともに、前記第１方向と交差する第１交差方向に沿って並ぶ複数の電極線と、
前記透明誘電体層の前記第２面にて、前記第１方向と交差する第２方向に沿って延びるとともに、前記第２方向と交差する第２交差方向に沿って並ぶ複数の電極線と、
を備え、
前記第１面に位置する複数の前記電極線の少なくとも１つは、第１電極線であり、
前記第１電極線は、複数の屈曲部を含む屈曲線形状を有し、
前記第１電極線に沿って互いに隣り合う前記屈曲部間における前記第１方向の距離、および、前記第１交差方向の距離が、前記第１電極線における前記屈曲部の並ぶ順序に対し不規則に変化するように、前記第１電極線は構成されている
導電性フィルム。
【請求項２】
前記屈曲線形状は、直線形状を有する複数の短線部が前記屈曲部を介して連なる折れ線形状であり、前記複数の短線部が、前記第１方向に対して傾斜した直線形状を有する前記短線部を含む
請求項１に記載の導電性フィルム。
【請求項３】
前記第１面に位置する複数の前記電極線は、前記第１交差方向に沿って並ぶ複数の前記第１電極線から構成される第１電極線群を含み、
前記第１電極線群において、前記第１電極線間における前記屈曲部の数のばらつきは、５％以下である
請求項１または２に記載の導電性フィルム。
【請求項４】
各々が同じ大きさを有し、かつ、前記第１方向に沿って所定の間隔ごとに位置する複数の仮想領域に対し、各仮想領域内に前記屈曲部が１つずつ位置する
請求項１〜３のいずれか一項に記載の導電性フィルム。
【請求項５】
前記第１方向に沿って直線状に延び、かつ、前記第１交差方向に所定の間隔である基準間隔をあけて並ぶ仮想的な電極線が基準電極線であり、
前記第１電極線の有する前記屈曲線形状は、前記基準電極線上に位置する複数の変位点の各々の位置が、前記屈曲部の位置になるように、前記基準電極線における前記変位点の並びの順序に対し不規則に変位した形状であり、
互いに隣り合う変位前の前記変位点の間の距離である変位点距離は、前記基準間隔の０．９０倍以上１．１０倍以下である
請求項１〜４のいずれか一項に記載の導電性フィルム。
【請求項６】
前記変位前の前記変位点を中心として、前記第１方向に沿って延びる辺と前記第１交差方向に沿って延びる辺とを有する正方形形状の仮想的な領域が変位領域であり、
前記変位後の前記変位点は、前記変位領域内に位置し、
前記変位領域の１辺の長さは、前記変位点距離の０．３０倍以上０．８０倍以下である
請求項５に記載の導電性フィルム。
【請求項７】
前記変位領域の１辺の長さは、前記変位点距離の０．５５倍以上０．８０倍以下である
請求項６に記載の導電性フィルム。
【請求項８】
前記第２面に位置する複数の前記電極線の少なくとも１つは、第２電極線であり、
前記第２電極線は、複数の屈曲部を含む屈曲線形状を有し、
前記第２電極線に沿って互いに隣り合う前記屈曲部間における前記第２方向の距離、および、前記第２交差方向の距離が、前記第２電極線における前記屈曲部の並ぶ順序に対し不規則に変化するように、前記第２電極線は構成されている
請求項１〜７のいずれか一項に記載の導電性フィルム。
【請求項９】
前記第１面に位置する複数の電極線と前記第２面に位置する複数の電極線とは、互いに異なる基材上に形成されている
請求項１〜８のいずれか一項に記載の導電性フィルム。
【請求項１０】
請求項１〜９のいずれか一項に記載の導電性フィルムと、
前記導電性フィルムを覆うカバー層と、
前記第１面に配置された電極線と前記第２面に配置された電極線との間の静電容量を測定する周辺回路と、を備える
タッチパネル。
【請求項１１】
格子状に配列された複数の画素を有して情報を表示する表示パネルと、
前記表示パネルの表示する前記情報を透過するタッチパネルと、
前記タッチパネルの駆動を制御する制御部と、を備え、
前記タッチパネルは、請求項１０に記載のタッチパネルである
表示装置。
【請求項１２】
前記透明誘電体層と対向する方向から見て、
前記第１方向と、前記画素の並ぶ方向とのなす角度をΦとするとき、
１５°≦Φ≦４０°、５０°≦Φ≦７５°、−４０°≦Φ≦−１５°、および、−７５°≦Φ≦−５０°のいずれかを満たす
請求項１１に記載の表示装置。
【請求項１３】
前記透明誘電体層と対向する方向から見て、
前記第２方向は、前記画素の並ぶ方向とのなす角度として−Φを有する
請求項１２に記載の表示装置。
【発明の詳細な説明】
【技術分野】
【０００１】
本発明は、複数の電極線を備える導電性フィルム、この導電性フィルムを備えるタッチパネル、および、このタッチパネルを備える表示装置に関する。
【背景技術】
【０００２】
近年、表示装置の入力デバイスとしてタッチパネルが広く用いられている。表示装置は、画像を表示する表示パネルと、表示パネルに重ねられた上記タッチパネルとを備えている。表示パネルの有する表示面の大きさは、ＰＤＡ（携帯情報端末）や携帯電話等のように表示装置が小型である場合から、パーソナルコンピュータに用いられるディスプレイやスマートテレビ等のように表示装置が大型である場合まで、表示装置の大きさに応じて多様である。それゆえ、表示面の大きさと同等の大きさの操作面を有するタッチパネルの大きさもまた、多様である。また、表示装置の用途等に応じて、表示パネルにおける解像度も、多様である。
【０００３】
タッチパネルにおける指などの接触位置の検出方式としては、指などが操作面に接触することを静電容量の変化として検出する静電容量方式が広く用いられている。静電容量方式のタッチパネルにおいて、タッチパネルの備える導電性フィルムは、第１方向に沿って延びる複数の第１電極と、第１方向に直交する第２方向に沿って延びる複数の第２電極と、第１電極と第２電極とに挟まれた透明誘電体層とを備えている。そして、１つの第１電極と複数の第２電極の各々との間における静電容量の変化が第１電極ごとに検出されて、操作面における指などの接触位置が検出される。
【０００４】
こうした導電性フィルムの一例では、複数の第１電極の各々は、第１方向に沿って延びる複数の第１電極線から構成され、複数の第２電極の各々は、第２方向に沿って延びる複数の第２電極線から構成される。電極線としては、銀や銅などの金属からなる細線が用いられる。電極線の材料として金属が用いられることによって、接触位置の検出に際しての迅速な応答性や高い分解能が得られるとともに、タッチパネルの大型化や製造コストの削減が可能となる。
【０００５】
ところで、可視光を吸収、あるいは、反射する金属によって電極線が形成される構成では、タッチパネルの操作面から見て、複数の第１電極線と複数の第２電極線とが相互に直交した格子状のパターンが視認される。一方で、タッチパネルが積層される表示パネルでも、第１方向と第２方向とに沿って複数の画素を区画するブラックマトリクスが、格子状のパターンとして視認される。
【０００６】
この際に、相互に隣り合う第１電極線の間の間隔は、相互に隣り合う画素間の第２方向における間隔とは一般に異なり、また、相互に隣り合う第２電極線の間の間隔も、相互に隣り合う画素間の第１方向における間隔とは異なる。そして、タッチパネルの操作面から見て、第１電極線と第２電極線とから形成される格子状の周期構造と、画素を区画する格子状の周期構造とが重なることによって、２つの周期構造のずれが、モアレ（ｍｏｉｒｅ）を誘起する場合がある。モアレが視認されると、表示装置にて視認される画像の品質の低下が生じる。
こうしたモアレが視認されることを抑える方法の１つとして、電極線の周期構造の周期性を崩すことによって、モアレの発生を抑える方法がある。
【０００７】
例えば、特許文献１に記載のタッチパネルでは、第１電極線と第２電極線との各々が折れ線であり、これらの電極線から形成される周期構造は、矩形とは異なる多角形の繰り返し構造を有する。その結果、格子状の周期構造と比較して、電極線の周期構造の周期性が崩れている。また例えば、特許文献２に記載の導電性フィルムでは、電極線が部分的に異なる線幅を有するため、線幅が一定である場合と比較して、電極線の周期構造の周期性が崩れている。また例えば、特許文献３に記載の導電性フィルムでは、電極線の輪郭がランダムな凹凸を有することによって、電極線の周期構造の周期性が崩れている。
【先行技術文献】
【特許文献】
【０００８】
【特許文献１】国際公開第２０１４／１１５８３１号
【特許文献２】特開２００９−２５２８６８号公報
【特許文献３】特開２０１０−２７６９９８号公報
【発明の概要】
【発明が解決しようとする課題】
【０００９】
ところで、上述のように、表示パネルの大きさや解像度が多様化している近年では、電極線のパターンの設計負荷を軽減するために、互いに同一のサイズ、かつ、異なる解像度の複数の表示パネル間や、互いに異なるサイズ、かつ、同程度の解像度の複数の表示パネル間に、共通のパターンを有する電極線を適用することが望まれている。
【００１０】
一方、上記特許文献１〜３に記載の電極線パターンは、周期性が低下しているとはいえ目視によって認識可能な程度の周期性を有している以上、これらのパターンを用いた場合のモアレの発生の程度は、電極線の周期構造と画素の周期構造との関係によって変わる。したがって、複数の表示パネルに対してモアレを抑えるためには、画素の周期構造ごと、すなわち、表示パネルの大きさごとや解像度ごとに、モアレの発生程度を評価しつつ、電極線パターンの緻密な設計を行うことが必要である。そして、こうして設計された電極線パターンによってモアレを抑えることが可能な表示パネルは、結局のところ、設計の際に評価対象とされた表示パネルに限られる。
それゆえ、大きさや解像度の異なる、より様々な表示パネルに対してモアレが視認されることを抑えることができる電極線のパターンが求められている。
【００１１】
本発明は、大きさや解像度が互いに異なる複数の表示パネルとの重ね合わせに際して、モアレが視認されることを抑えることのできる導電性フィルム、タッチパネル、および、表示装置を提供することを目的とする。
【課題を解決するための手段】
【００１２】
上記課題を解決するための導電性フィルムは、第１面と、前記第１面とは反対側の面である第２面とを有する透明誘電体層と、前記透明誘電体層の前記第１面にて、第１方向に沿って延びるとともに、前記第１方向と交差する第１交差方向に沿って並ぶ複数の電極線と、前記透明誘電体層の前記第２面にて、前記第１方向と交差する第２方向に沿って延びるとともに、前記第２方向と交差する第２交差方向に沿って並ぶ複数の電極線とを備える。そして、前記第１面に位置する複数の前記電極線の少なくとも１つは、第１電極線であり、前記第１電極線は、複数の屈曲部を含む屈曲線形状を有し、前記第１電極線に沿って互いに隣り合う前記屈曲部間における前記第１方向の距離、および、前記第１交差方向の距離が、前記第１電極線における前記屈曲部の並ぶ順序に対し不規則に変化するように、前記第１電極線は構成されている。
【００１３】
上記構成によれば、不規則に屈曲する屈曲線形状を有する第１電極線を電極線パターンが含む。そのため、上記構成は、従来のような格子状の電極線パターンや規則的な屈曲線からなる電極線パターンと比較して、電極線パターンが有する空間的な周期性を低くすることが可能であって、モアレの抑制に関して、表示パネルの画素パターンが有する周期性への影響も低く抑えられる。したがって、こうした電極線パターンを有する導電性フィルムを用いたタッチパネルを、大きさや解像度の異なる複数の表示パネルと重ね合わせた場合にも、モアレが視認されることを抑えることが可能であり、従来と比較して、より様々な表示パネルに対して、モアレが視認されることを抑えられる。
【００１４】
上記導電性フィルムにおいて、前記屈曲線形状は、直線形状を有する複数の短線部が前記屈曲部を介して連なる折れ線形状であり、前記複数の短線部が、前記第１方向に対して傾斜した直線形状を有する前記短線部を含むことが好ましい。
【００１５】
上記構成によれば、第１方向に対して傾斜した短線部を含む複数の短線部の組み合わせによって第１電極線が構成されるため、不規則に屈曲する屈曲線形状が的確に実現される。
【００１６】
上記導電性フィルムにおいて、前記第１面に位置する複数の前記電極線は、前記第１交差方向に沿って並ぶ複数の前記第１電極線から構成される第１電極線群を含み、前記第１電極線群において、前記第１電極線間における前記屈曲部の数のばらつきは、５％以下であることが好ましい。
【００１７】
上記構成によれば、互いに隣り合う第１電極線が、互いに交差したり接触したりすることが抑えられる。そのため、電極線の交差部分もしくは接触部分に形成される角部にて電極線が太くなることに起因して、電極線が視認され易くなることが抑えられる。
【００１８】
上記導電性フィルムにおいて、各々が同じ大きさを有し、かつ、前記第１方向に沿って所定の間隔ごとに位置する複数の仮想領域に対し、各仮想領域内に前記屈曲部が１つずつ位置することが好ましい。
【００１９】
互いに隣り合う屈曲部を結ぶ線分内には、これら以外の他の屈曲部が位置しないため、こうした線分の長さが長いほど、屈曲線形状の不規則性は低い。この点、上記構成によれば、１つの第１電極線内で屈曲部の位置が極端に偏ることが抑えられるため、互いに隣り合う屈曲部を結ぶ線分の長さが極端に長い構成と比べ、不規則な屈曲線形状を的確に実現することができる。
【００２０】
上記導電性フィルムにおいて、前記第１方向に沿って直線状に延び、前記第１交差方向に所定の間隔である基準間隔をあけて並ぶ仮想的な電極線が基準電極線であり、前記第１電極線の有する前記屈曲線形状は、前記基準電極線上に位置する複数の変位点の各々の位置が、前記屈曲部の位置になるように、前記基準電極線における前記変位点の並びの順序に対し不規則に変位した形状であり、互いに隣り合う変位前の前記変位点の間の距離である変位点距離は、前記基準間隔の０．９０倍以上１．１０倍以下であることが好ましい。
【００２１】
上記構成によれば、変位点距離が基準間隔の０．９０倍以上であるため、第１電極線にて屈曲部の数が多くなりすぎない。そのため、第１面において電極線の占める割合が過剰になることが抑えられる結果、導電性フィルムにおける光の透過率の低下や抵抗値の増大が抑えられる。一方、変位点距離が基準間隔の１．１０倍以下であるため、変位点の数が十分に確保され、変位点の変位によって、電極線パターンの周期性が十分に低下する。
【００２２】
上記導電性フィルムにおいて、前記変位前の前記変位点を中心として、前記第１方向に沿って延びる辺と前記第１交差方向に沿って延びる辺とを有する正方形形状の仮想的な領域が変位領域である。そして、前記変位後の前記変位点は、前記変位領域内に位置し、前記変位領域の１辺の長さは、前記変位点距離の０．３０倍以上０．８０倍以下であることが好ましい。
【００２３】
上記構成によれば、基準電極線に基づいて作成される電極線パターンと画素パターンとを重ね合わせた画像のフーリエ解析にて低周波領域に現れるピークの強度が低く抑えられる。したがって、電極線パターンと画素パターンとの重ね合わせに際して生じるモアレのコントラストが低く抑えられるため、モアレが視認され難くなる。また、電極線の偏りに起因した砂目のパターンが視認され難くもなる。
上記導電性フィルムにおいて、前記変位領域の１辺の長さは、前記変位点距離の０．５５倍以上０．８０倍以下であることが好ましい。
上記構成によれば、上記ピークの強度がさらに低く抑えられるため、モアレがさらに視認され難くなる。
【００２４】
上記導電性フィルムにおいて、前記第２面に位置する複数の前記電極線の少なくとも１つは、第２電極線であり、前記第２電極線は、複数の屈曲部を含む屈曲線形状を有し、前記第２電極線に沿って互いに隣り合う前記屈曲部間における前記第２方向の距離、および、前記第２交差方向の距離が、前記第２電極線における前記屈曲部の並ぶ順序に対し不規則に変化するように、前記第２電極線は構成されることが好ましい。
【００２５】
上記構成によれば、第１面に位置する複数の電極線に加えて、第２面に位置する複数の電極線にも、不規則に屈曲する屈曲線形状の電極線が含まれるため、電極線パターンの周期性がより低下する。そのため、より様々な表示パネルに対して、モアレが視認されることが抑えられる。
【００２６】
上記導電性フィルムにおいて、前記第１面に位置する複数の電極線と前記第２面に位置する複数の電極線とは、互いに異なる基材上に形成されることが好ましい。
上記構成によれば、１つの基材の両面に電極線が形成される構成と比較して、電極線の形成が容易である。
【００２７】
上記課題を解決するためのタッチパネルは、上記導電性フィルムと、前記導電性フィルムを覆うカバー層と、前記第１面に配置された電極線と前記第２面に配置された電極線との間の静電容量を測定する周辺回路とを備える。
【００２８】
上記構成によれば、タッチパネルを、大きさや解像度の異なる複数の表示パネルと重ね合わせた場合にも、モアレが視認されることを抑えることが可能であり、従来と比較して、より様々な表示パネルに対して、モアレが視認されることを抑えられる。
【００２９】
上記課題を解決するための表示装置は、格子状に配列された複数の画素を有して情報を表示する表示パネルと、前記表示パネルの表示する前記情報を透過するタッチパネルと、前記タッチパネルの駆動を制御する制御部とを備え、前記タッチパネルは、上記タッチパネルである。
上記構成によれば、表示装置にてモアレが視認されることが抑えられるため、表示品質の低下が抑えられる。
【００３０】
上記表示装置において、前記透明誘電体層と対向する方向から見て、前記第１方向と、前記画素の並ぶ方向とのなす角度をΦとするとき、１５°≦Φ≦４０°、５０°≦Φ≦７５°、−４０°≦Φ≦−１５°、および、−７５°≦Φ≦−５０°のいずれかを満たすことが好ましい。
上記構成によれば、電極線パターンと画素パターンとの重ね合わせに際してモアレが視認されることが的確に抑えられる。
上記表示装置において、前記透明誘電体層と対向する方向から見て、前記第２方向は、前記画素の並ぶ方向とのなす角度として−Φを有することが好ましい。
【００３１】
上記構成によれば、電極線パターンと画素パターンとの重ね合わせに際してモアレが視認されることが的確に抑えられるとともに、第１方向と第２方向と画素の並ぶ方向との角度の関係の設定についての負荷が軽減される。
【発明の効果】
【００３２】
本発明によれば、電極線パターンと、大きさや解像度が互いに異なる複数の表示パネルとの重ね合わせに際して、モアレが視認されることを抑えることができる。
【図面の簡単な説明】
【００３３】
【図１】表示装置の一実施形態における断面構造を示す断面図である。
【図２】一実施形態における導電性フィルムの平面構造を示す平面図である。
【図３】一実施形態における表示パネルの画素配列を示す平面図である。
【図４】一実施形態におけるタッチパネルの電気的構成を説明するための模式図である。
【図５】従来のセンシング電極線とドライブ電極線とから構成される電極線パターンの一例を示す図である。
【図６】従来のセンシング電極線とドライブ電極線とから構成される電極線パターンの一例を示す図である。
【図７】従来のセンシング電極線とドライブ電極線とから構成される電極線パターンの一例を示す図である。
【図８】一実施形態におけるセンシング電極線の構成を示す図である。
【図９】一実施形態におけるセンシング電極線の構成を示す図である。
【図１０】一実施形態におけるドライブ電極線の構成を示す図である。
【図１１】一実施形態におけるドライブ電極線の構成を示す図である。
【図１２】一実施形態における導電性フィルムの一部分の平面構造を示す平面図であって、センシング電極線とドライブ電極線とから構成される電極線パターンの構成を示す図である。
【図１３】変形例のセンシング電極線とドライブ電極線とから構成される電極線パターンの構成を示す図である。
【図１４】変形例のセンシング電極線とドライブ電極線とから構成される電極線パターンの構成を示す図である。
【図１５】一実施形態における第１電極方向および第２電極方向と第１画素方向との関係を示す図である。
【図１６】一実施形態における基準電極線の構成を示す図である。
【図１７】一実施形態の基準電極線における変位点の変位によって作成されたセンシング電極線の一例を変位領域とともに示す図である。
【図１８】一実施形態における変位領域の大きさと、電極線パターンと画素パターンとを重ね合わせた画像の二次元フーリエ変換によって現れるピーク強度との関係を示す図である。
【図１９】変形例における表示装置の断面構造を示す断面図である。
【図２０】変形例における表示装置の断面構造を示す断面図である。
【発明を実施するための形態】
【００３４】
図１〜図１８を参照して、一実施形態の導電性フィルム、タッチパネル、および、表示装置について説明する。
【００３５】
［表示装置の構成］
図１を参照して、表示装置の構成について説明する。
図１が示すように、表示装置１００は、例えば、液晶パネルである表示パネル１０と、タッチパネル２０とが、図示しない１つの透明接着層によって貼り合わされた積層体であり、タッチパネル２０を駆動するための回路やタッチパネル２０の駆動を制御する制御部を備えている。なお、表示パネル１０とタッチパネル２０との相対的な位置が筐体などの他の構成によって固定される前提であれば、上記透明接着層は割愛されてもよい。
表示パネル１０の表面には、矩形形状に形成された表示面が区画され、表示面には、外部からの画像データに基づく画像などの情報が表示される。
【００３６】
表示パネル１０を構成する構成要素は、タッチパネル２０から遠い構成要素から順番に、以下のように並んでいる。すなわち、タッチパネル２０から遠い順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。
【００３７】
これらのうち、ＴＦＴ層１３には、サブ画素を構成する画素電極がマトリクス状に位置している。また、カラーフィルタ層１５が有するブラックマトリクスは、矩形形状を有した複数の単位格子から構成される格子形状を有している。そして、ブラックマトリクスは、こうした格子形状によって、サブ画素の各々と向かい合う矩形形状を有する複数の領域を区画し、ブラックマトリクスの区画する各領域には、白色光を赤色、緑色、および、青色のいずれかの色の光に変える着色層が位置している。
【００３８】
表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５が割愛されてもよい。この際に、ＥＬパネルにおいて相互に隣り合う画素の境界部分は、ブラックマトリクスとして機能する。また、表示パネル１０は放電によって発光するプラズマパネルであってもよく、この場合、赤色の蛍光体層と、緑色の蛍光体層と、青色の蛍光体層とを区画する境界部分がブラックマトリクスとして機能する。
【００３９】
タッチパネル２０は、静電容量方式のタッチパネルであり、導電性フィルム２１とカバー層２２とが透明接着層２３によって貼り合わされた積層体であって、表示パネル１０の表示する情報を透過する光透過性を有している。
【００４０】
詳細には、タッチパネル２０を構成する構成要素のなかで表示パネル１０に近い構成要素から順番に、透明基板３１、複数のドライブ電極３１ＤＰ、透明接着層３２、透明誘電体基板３３、複数のセンシング電極３３ＳＰ、透明接着層２３、カバー層２２が位置している。このうち、透明基板３１、ドライブ電極３１ＤＰ、透明接着層３２、透明誘電体基板３３、および、センシング電極３３ＳＰが、導電性フィルム２１を構成している。
【００４１】
透明基板３１は、表示パネル１０の表示面が表示する画像などの情報を透過する光透過性と絶縁性とを有し、表示面の全体に重ねられている。透明基板３１は、例えば、透明ガラス基板や、透明樹脂フィルムや、シリコン基板などの基材から構成される。透明基板３１に用いられる樹脂としては、例えば、ＰＥＴ（Ｐｏｌｙｅｔｈｙｌｅｎｅ  Ｔｅｒｅｐｈｔｈａｌａｔｅ）、ＰＭＭＡ（Ｐｏｌｙｍｅｔｈｙｌ  ｍｅｔｈａｃｒｙｌａｔｅ）、ＰＰ（Ｐｏｌｙｐｒｏｐｙｌｅｎｅ）、ＰＳ（Ｐｏｌｙｓｔｙｒｅｎｅ）などが挙げられる。透明基板３１は、１つの基材から構成される単層構造体であってもよいし、２つ以上の基材が重ねられた多層構造体であってもよい。
【００４２】
透明基板３１における表示パネル１０とは反対側の面は、ドライブ電極面３１Ｓとして設定され、ドライブ電極面３１Ｓには、複数のドライブ電極３１ＤＰが配置されている。複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。
【００４３】
透明接着層３２は、表示面に表示される画像などの情報を透過する光透過性を有し、透明接着層３２には、例えば、ポリエーテル系接着剤やアクリル系接着剤などが用いられる。
【００４４】
透明誘電体基板３３は、表示面に表示される画像などの情報を透過する光透過性と、電極間における静電容量の検出に適した比誘電率とを有する。透明誘電体基板３３は、例えば、透明ガラス基板や、透明樹脂フィルムや、シリコン基板などの基材から構成される。透明誘電体基板３３に用いられる樹脂としては、例えば、ＰＥＴ、ＰＭＭＡ、ＰＰ、ＰＳなどが挙げられる。透明誘電体基板３３は、１つの基材から構成される単層構造であってもよいし、２つ以上の基材が重ねられた多層構造であってもよい。
【００４５】
複数のドライブ電極３１ＤＰが透明接着層３２によって透明誘電体基板３３に貼り合わされる結果、透明誘電体基板３３における透明基板３１と向かい合う面である裏面には、複数のドライブ電極３１ＤＰが並んでいる。
【００４６】
透明誘電体基板３３における透明接着層３２とは反対側の面である表面は、センシング電極面３３Ｓとして設定され、センシング電極面３３Ｓには、複数のセンシング電極３３ＳＰが配置されている。すなわち、透明誘電体基板３３は、複数のドライブ電極３１ＤＰと、複数のセンシング電極３３ＳＰとに挟まれている。複数のセンシング電極３３ＳＰ、および、センシング電極面３３Ｓにおいてセンシング電極３３ＳＰが位置しない部分は、１つの透明接着層２３によってカバー層２２に貼り合わされている。
【００４７】
透明接着層２３は、表示面に表示される画像などの情報を透過する光透過性を有し、透明接着層２３には、例えば、ポリエーテル系接着剤やアクリル系接着剤などが用いられる。透明接着層２３として用いられる接着剤の種類は、ウェットラミネート接着剤であってもよいし、ドライラミネート接着剤やホットラミネート接着剤であってもよい。
【００４８】
カバー層２２は、強化ガラスなどのガラス基板や樹脂フィルムなどによって形成され、カバー層２２における透明接着層２３とは反対側の面は、タッチパネル２０における表面であって操作面２０Ｓとして機能する。
【００４９】
なお、上記構成要素のうち、透明接着層２３は割愛されてもよい。透明接着層２３の省略される構成においては、カバー層２２が有する面のなかで透明誘電体基板３３と対向する面がセンシング電極面３３Ｓとして設定され、センシング電極面３３Ｓに形成される１つの薄膜のパターニングによって、複数のセンシング電極３３ＳＰが形成されればよい。
【００５０】
また、タッチパネル２０の製造に際しては、導電性フィルム２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、透明基板３１として機能する他の樹脂フィルムに形成された薄膜層が複数のドライブ電極３１ＤＰに加工されて、第２のフィルムが得られる。そして、第１フィルムと第２フィルムとが透明誘電体基板３３を挟むように、透明誘電体基板３３に対して透明接着層２３，３２によって貼り付けられる。
【００５１】
［導電性フィルムの平面構造］
図２を参照して、センシング電極３３ＳＰとドライブ電極３１ＤＰとの位置関係を中心に、導電性フィルム２１の平面構造について説明する。なお、図２は、透明誘電体基板３３の表面と対向する方向から導電性フィルム２１を見た図であり、二点鎖線で囲まれた横方向に沿って延びる帯状領域の各々は、１つのセンシング電極３３ＳＰが配置される領域を示し、二点鎖線で囲まれた縦方向に沿って延びる帯状領域の各々は、１つのドライブ電極３１ＤＰが配置される領域を示している。なお、センシング電極３３ＳＰおよびドライブ電極３１ＤＰの数は簡略化して示している。
【００５２】
また、センシング電極３３ＳＰとドライブ電極３１ＤＰとの構成を理解しやすくするために、図２にて最も上側に位置するセンシング電極３３ＳＰについてのみ、センシング電極３３ＳＰを構成するセンシング電極線を太線で示し、図２にて最も左側に位置するドライブ電極３１ＤＰについてのみ、ドライブ電極３１ＤＰを構成するドライブ電極線を細線で示している。なお、図２においては、センシング電極線の形状とドライブ電極線の形状とを、模式的に示している。
【００５３】
図２が示すように、透明誘電体基板３３のセンシング電極面３３Ｓにおいて、複数のセンシング電極３３ＳＰの各々は、１つの方向である第１電極方向Ｄ１に沿って延びる帯形状を有し、かつ、第１電極方向Ｄ１と直交する第２電極方向Ｄ２に沿って並んでいる。各センシング電極３３ＳＰは、隣り合う他のセンシング電極３３ＳＰと互いに絶縁されている。
【００５４】
各センシング電極３３ＳＰは、複数のセンシング電極線３３ＳＲから構成され、センシング電極面３３Ｓには、これら複数のセンシング電極線３３ＳＲの集合であるセンシング電極線群が配置されている。センシング電極線３３ＳＲの形成材料には、銅や銀やアルミニウムなどの金属膜が用いられ、センシング電極線３３ＳＲは、例えば、エッチングによって金属膜がパターニングされることにより形成される。複数のセンシング電極３３ＳＰの各々は、センシングパッド３３Ｐを介して個別にタッチパネル２０の周辺回路の一例である検出回路に接続され、検出回路によって電流値を測定される。
【００５５】
透明基板３１のドライブ電極面３１Ｓにおいて、複数のドライブ電極３１ＤＰの各々は、第２電極方向Ｄ２に沿って延びる帯形状を有し、かつ、第１電極方向Ｄ１に沿って並んでいる。各ドライブ電極３１ＤＰは、隣り合う他のドライブ電極３１ＤＰと互いに絶縁されている。
【００５６】
各ドライブ電極３１ＤＰは、複数のドライブ電極線３１ＤＲから構成され、ドライブ電極面３１Ｓには、これら複数のドライブ電極線３１ＤＲの集合であるドライブ電極線群が配置されている。ドライブ電極線３１ＤＲの形成材料には、銅や銀やアルミニウムなどの金属膜が用いられ、ドライブ電極線３１ＤＲは、例えば、エッチングによって金属膜がパターニングされることにより形成される。複数のドライブ電極３１ＤＰの各々は、ドライブパッド３１Ｐを介して個別にタッチパネル２０の周辺回路の一例である選択回路に接続され、選択回路が出力する駆動信号を受けることによって選択回路に選択される。
【００５７】
透明誘電体基板３３の表面と対向する平面視において、センシング電極３３ＳＰとドライブ電極３１ＤＰとが相互に重なる部分は、図２の二点鎖線によって区画される四角形状を有した容量検出部ＮＤである。１つの容量検出部ＮＤは、１つのセンシング電極３３ＳＰと、１つのドライブ電極３１ＤＰとが立体的に交差する部分であって、タッチパネル２０において使用者の指などが触れている位置を検出することの可能な最小の単位である。
【００５８】
なお、センシング電極線３３ＳＲおよびドライブ電極線３１ＤＲの形成方法としては、上述のエッチングに限らず、例えば印刷法などの他の方法が用いられてもよい。
［表示パネルの平面構造］
図３を参照して、表示パネル１０におけるカラーフィルタ層１５の平面構造、すなわち、表示パネル１０の画素配列について説明する。
【００５９】
図３が示すように、カラーフィルタ層１５のブラックマトリクス１５ａは、第１画素方向Ｇ１と、第１画素方向Ｇ１と直交する第２画素方向Ｇ２とに沿って並ぶ矩形形状を有した複数の単位格子から構成される格子パターンを有している。１つの画素１５Ｐは、第１画素方向Ｇ１に沿って連続する３つの単位格子から構成され、複数の画素１５Ｐは、第１画素方向Ｇ１、および、第２画素方向Ｇ２に沿って格子状に配列されている。
【００６０】
複数の画素１５Ｐの各々は、赤色を表示するための赤色着色層１５Ｒ、緑色を表示するための緑色着色層１５Ｇ、および、青色を表示するための青色着色層１５Ｂから構成されている。カラーフィルタ層１５において、例えば、複数の赤色着色層１５Ｒ、複数の緑色着色層１５Ｇ、および、複数の青色着色層１５Ｂが、第１画素方向Ｇ１に沿って、この順で、繰り返し並んでいる。また、複数の赤色着色層１５Ｒは、第２画素方向Ｇ２に沿って連続して並び、複数の緑色着色層１５Ｇは、第２画素方向Ｇ２に沿って連続して並び、複数の青色着色層１５Ｂは、第２画素方向Ｇ２に沿って連続して並んでいる。
【００６１】
１つの赤色着色層１５Ｒ、１つの緑色着色層１５Ｇ、および、１つの青色着色層１５Ｂは、１つの画素１５Ｐを構成し、複数の画素１５Ｐは、第１画素方向Ｇ１における赤色着色層１５Ｒ、緑色着色層１５Ｇ、および、青色着色層１５Ｂの並ぶ順番を維持した状態で、第１画素方向Ｇ１に沿って並んでいる。すなわち、第１画素方向Ｇ１が、画素１５Ｐの並ぶ方向である。また、換言すれば、複数の画素１５Ｐは、第２画素方向Ｇ２に沿って延びるストライプ状に配置されている。
【００６２】
画素１５Ｐにおける第１画素方向Ｇ１に沿った幅が第１画素幅Ｐ１であり、画素１５Ｐにおける第２画素方向Ｇ２に沿った幅が第２画素幅Ｐ２である。第１画素幅Ｐ１、および、第２画素幅Ｐ２の各々は、表示パネル１０の大きさや表示パネル１０に求められる解像度などに応じた値に設定される。
【００６３】
［タッチパネルの電気的構成］
図４を参照して、タッチパネル２０の電気的構成を、表示装置１００の備える制御部の機能とともに説明する。なお、以下では、静電容量式のタッチパネル２０の一例として、相互容量方式のタッチパネル２０における電気的構成を説明する。
【００６４】
図４が示すように、タッチパネル２０は、周辺回路として、選択回路３４および検出回路３５を備えている。選択回路３４は、複数のドライブ電極３１ＤＰに接続され、検出回路３５は、複数のセンシング電極３３ＳＰに接続され、表示装置１００の備える制御部３６は、選択回路３４と検出回路３５とに接続されている。
【００６５】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００６６】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００６７】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００６８】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００６９】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００７０】
制御部３６は、信号処理部３５ｂの出力した電圧信号に基づいて、タッチパネル２０において使用者の指などが触れている位置を検出し、検出した位置の情報を表示パネルの表示面に表示される情報の生成などの各種の処理に利用する。なお、タッチパネル２０は、上述した相互容量方式のタッチパネル２０に限らず、自己容量方式のタッチパネルであってもよい。
【００７１】
なお、上述の説明では、第１電極方向Ｄ１と第１画素方向Ｇ１とが同一の方向であり、第２電極方向Ｄ２と第２画素方向Ｇ２とが同一の方向である例を用いて、導電性フィルム２１、タッチパネル２０、および、表示装置１００の基本構成について説明している。
【００７２】
［電極線パターンの参考例］
本実施形態の電極線パターンの説明に際して参考となる参考例の電極線パターン、および、電極線パターンと画素パターンと位置関係について、図５〜図７を参照して説明する。なお、図５〜図７では、電極線パターンを太線で示し、画素パターンを破線で示す。
【００７３】
図５が示す電極線パターンにおいては、センシング電極線５３ＳＲは、第１電極方向Ｄ１に沿って延びる直線形状を有し、複数のセンシング電極線５３ＳＲは、センシング電極線５３ＳＲ間に所定の間隔をあけて、第２電極方向Ｄ２に沿って並んでいる。また、ドライブ電極線５１ＤＲは、第２電極方向Ｄ２に沿って延びる直線形状を有し、複数のドライブ電極線５１ＤＲは、ドライブ電極線５１ＤＲ間に所定の間隔をあけて、第１電極方向Ｄ１に沿って並んでいる。第１電極方向Ｄ１と第２電極方向Ｄ２とは直交している。これにより、矩形の並ぶ電極線パターンが形成されている。
【００７４】
図５が示す電極線パターンは、タッチパネル２０と表示パネル１０との重ね合わせに際して、センシング電極線５３ＳＲの延びる方向とドライブ電極線５１ＤＲの延びる方向とが、画素配列の延びる方向と平行になるように配置されている。すなわち、透明誘電体基板３３の表面と対向する方向から見て、第１電極方向Ｄ１と、第１画素方向Ｇ１および第２画素方向Ｇ２の一方とが一致し、第２電極方向Ｄ２と、第１画素方向Ｇ１および第２画素方向Ｇ２の他方とが一致する。このように電極線パターンと画素パターンが重ね合わされる場合、電極線パターンの周期構造と画素パターンの周期構造とのずれに起因して、モアレが視認され易い。モアレとして視認される縞の周期が細かいほど、モアレは視認され難く、こうした縞の周期は、センシング電極線５３ＳＲ間の間隔や、ドライブ電極線５１ＤＲ間の間隔によって調整可能ではあるものの、これらの間隔の調整によってモアレが視認されることを抑えるには限界がある。
【００７５】
図６が示す電極線パターンそのものは、図５に示す電極線パターンと同様のパターンである。図６が示す電極線パターンは、タッチパネル２０と表示パネル１０との重ね合わせに際して、センシング電極線５３ＳＲの延びる方向とドライブ電極線５１ＤＲの延びる方向とが、画素配列の延びる方向に対して傾斜するように配置されている。具体的には、第１電極方向Ｄ１と第１画素方向Ｇ１とのなす角の角度が０°および９０°とは異なる角度αとなるように、電極線パターンと画素パターンとが配置されている。
【００７６】
このように電極線パターンと画素パターンとが重ね合わされる場合、先の図５の例と比較して、角度αの調整によって、さらに、モアレの周期を調整可能ではあるが、やはり、こうした角度の調整によってモアレが視認されることを抑えるには限界がある。
【００７７】
図７が示す電極線パターンにおいては、センシング電極線５３ＳＲの延びる方向である第１電極方向Ｄ１と、ドライブ電極線５１ＤＲの延びる方向である第２電極方向Ｄ２とは、９０°とは異なる角度をなしている。詳細には、センシング電極線５３ＳＲは、第１電極方向Ｄ１に沿って延び、複数のセンシング電極線５３ＳＲは、センシング電極線５３ＳＲ間に所定の間隔をあけて、第１電極方向Ｄ１と直交する第１並列方向Ｈ１に沿って並んでいる。また、ドライブ電極線５１ＤＲは、第２電極方向Ｄ２に沿って延び、複数のドライブ電極線５１ＤＲは、ドライブ電極線５１ＤＲ間に所定の間隔をあけて、第２電極方向Ｄ２と直交する第２並列方向Ｈ２に沿って並んでいる。そして、第１電極方向Ｄ１と第２電極方向Ｄ２とは、互いに直交せず、交差している。これにより、菱形の並ぶ電極線パターンが形成されている。
【００７８】
さらに、図７が示す電極線パターンは、タッチパネル２０と表示パネル１０との重ね合わせに際して、第１電極方向Ｄ１と第１画素方向Ｇ１とのなす角の角度が角度βとなり、第２電極方向Ｄ２と第１画素方向Ｇ１とのなす角の角度が角度γとなるように、電極線パターンと画素パターンとが配置されている。角度βと角度γとは、０°および９０°とは異なる角度である。
【００７９】
このように電極線パターンと画素パターンが重ね合わされる場合、先の図５，図６の例と比較して、角度βおよび角度γの調整によって、さらに、モアレの周期を調整可能ではあるが、やはり、こうした角度の調整によってモアレが視認されることを抑えるには限界がある。
【００８０】
以上のように、参考例の電極線パターンにおいて、モアレが視認されることを抑えるためには、画素パターンごと、すなわち、表示パネル１０の大きさごとや解像度ごとに、電極線間の間隔や、電極線パターンと画素パターンとの重ね合わせの角度等を緻密に設定する必要があった。しかも、モアレを抑えられる上記間隔や角度が必ず存在するとは限らないため、モアレが視認されることを抑えることには限界があった。
【００８１】
こうした参考例のパターンと比較して、本実施形態の電極線パターンは、不規則な形状を有する電極線から構成されており、電極線パターンの周期性が低く抑えられている。以下、本実施形態の電極線パターンについて詳細に説明する。
【００８２】
［センシング電極の構成］
図８および図９を参照して、センシング電極３３ＳＰの構成について説明する。
図８が示すように、複数のセンシング電極線３３ＳＲの各々は、複数の屈曲部３３Ｑを含む屈曲線形状を有している。複数のセンシング電極線３３ＳＲは、センシング電極線３３ＳＲ間に間隔を空け、第２電極方向Ｄ２に沿って並べられている。互いに隣り合うセンシング電極線３３ＳＲは、センシング電極３３ＳＰ内においては、互いに交差したり接触したりしないことが好ましく、センシング電極３３ＳＰ間では、互いに絶縁されている。１つのセンシング電極３３ＳＰを構成する複数のセンシング電極線３３ＳＲの各々は、第１電極方向Ｄ１における一方の端部にてセンシングパッド３３Ｐに接続されている。
【００８３】
詳細には、複数のセンシング電極線３３ＳＲの各々は、直線形状を有した短線部３３Ｅの集合である。各短線部３３Ｅは、センシング電極線３３ＳＲに沿って互いに隣り合う屈曲部３３Ｑを結ぶ。すなわち、各センシング電極線３３ＳＲは、第１電極方向Ｄ１に沿って並ぶ複数の短線部３３Ｅと、互いに隣り合う２つの短線部３３Ｅの連結される部分である屈曲部３３Ｑとを含んでいる。換言すれば、複数のセンシング電極線３３ＳＲの各々は、複数の短線部３３Ｅが屈曲部３３Ｑを介して連なり、第１電極方向Ｄ１に沿って延びる折れ線形状を有する。
【００８４】
短線部３３Ｅの延びる方向に沿って短線部３３Ｅの有する長さは長さＬ１であり、複数の短線部３３Ｅには、互いに異なる長さＬ１を有する短線部３３Ｅが含まれる。すなわち、複数の短線部３３Ｅにおいて、長さＬ１は一定ではない。第１電極方向Ｄ１に沿って並ぶ複数の短線部３３Ｅのなかで、短線部３３Ｅの並びの順序に対し長さＬ１は不規則に変化している。
【００８５】
第１電極方向Ｄ１に沿って延びる直線である基準線Ａ１に対して短線部３３Ｅの有する角度は傾きθ１であり、複数の短線部３３Ｅには、互いに異なる傾きθ１を有する短線部３３Ｅが含まれる。すなわち、複数の短線部３３Ｅにおいて、傾きθ１は一定ではない。複数の短線部３３Ｅには、正の傾きθ１を有する短線部３３Ｅと、負の傾きθ１を有する短線部３３Ｅとが含まれている。なお、複数の短線部３３Ｅには、傾きθ１が０°である短線部３３Ｅが含まれてもよい。
【００８６】
第１電極方向Ｄ１に沿って並ぶ複数の短線部３３Ｅのなかで、短線部３３Ｅの並びの順序に対し傾きθ１の絶対値は不規則に変化している。なお、第１電極方向Ｄ１に沿って並ぶ複数の短線部３３Ｅの中で、短線部３３Ｅの並びの順序に対し傾きθ１の正負は不規則に変化してもよい。すなわち、１つのセンシング電極線３３ＳＲは、第１電極方向Ｄ１に沿って、正の傾きθ１を有する短線部３３Ｅが連続して並ぶ部分を有していてもよいし、負の傾きθ１を有する短線部３３Ｅが連続して並ぶ部分を有していてもよい。また、１つのセンシング電極線３３ＳＲは、正の傾きθ１を有する短線部３３Ｅと負の傾きθ１を有する短線部３３Ｅとが交互に並ぶ部分を有していてもよい。
【００８７】
こうしたセンシング電極線３３ＳＲにおいては、センシング電極線３３ＳＲに沿って互いに隣り合う屈曲部３３Ｑ間の第１電極方向Ｄ１に沿った距離ｄ１は、センシング電極線３３ＳＲにおける屈曲部３３Ｑの並ぶ順序に対し不規則に変化している。また、センシング電極線３３ＳＲに沿って互いに隣り合う屈曲部３３Ｑ間の第２電極方向Ｄ２に沿った距離ｄ２は、センシング電極線３３ＳＲにおける屈曲部３３Ｑの並ぶ順序に対し不規則に変化している。
【００８８】
１つのセンシング電極線３３ＳＲが有する屈曲部３３Ｑの数を屈曲部数とするとき、複数のセンシング電極線３３ＳＲの間における屈曲部数のばらつき、すなわち、センシング電極群における屈曲部数のばらつきは、５％以下であることが好ましく、各センシング電極線３３ＳＲの屈曲部数は等しいことがさらに好ましい。複数のセンシング電極３３ＳＰに含まれる全てのセンシング電極線３３ＳＲに対し、センシング電極線３３ＳＲごとの屈曲部数の算術平均値を平均値Ａｓａｖｅとする。複数のセンシング電極３３ＳＰに含まれる全てのセンシング電極線３３ＳＲに対し、センシング電極線３３ＳＲごとの屈曲部数の最大値を最大値Ａｓｍａｘとする。複数のセンシング電極３３ＳＰに含まれる全てのセンシング電極線３３ＳＲに対し、センシング電極線３３ＳＲごとの屈曲部数の最小値を最小値Ａｓｍｉｎとする。この際に、上記屈曲部数のばらつきは、（Ａｓｍａｘ＋Ａｓｍｉｎ）／（２×Ａｓａｖｅ）×１００によって与えられる。
【００８９】
複数のセンシング電極線３３ＳＲの間における屈曲部数のばらつきが上記範囲内であれば、互いに隣り合うセンシング電極線３３ＳＲが、交差したり接触したりすることが抑えられる。互いに隣り合うセンシング電極線３３ＳＲが、交差したり接触したりすると、この交差部分もしくは接触部分では、各センシング電極線３３ＳＲの有する短線部３３Ｅ同士が交わって角部が形成される。センシング電極線３３ＳＲがエッチングによって形成される場合、角部では電極線が太くなって角部が視認され易くなる。したがって、角部の数は少ないことが好ましく、そのためには、上記交差部分や上記接触部分の数が少ないことが好ましい。
【００９０】
図９が示すように、各センシング電極線３３ＳＲに沿って、各センシング電極線３３ＳＲと重なるように、各々が同じ大きさを有し、第１電極方向Ｄ１に沿って並ぶ複数の仮想領域Ｒ１を配置する。すなわち、仮想領域Ｒ１は、第１電極方向Ｄ１に沿って所定の間隔ごとに１つずつ位置している。最も端に位置する仮想領域Ｒ１は、センシング電極線３３ＳＲの端部に配置されてもよいし、センシング電極線３３ＳＲの端部から離れた位置に配置されてもよい。こうした仮想領域Ｒ１を設定したとき、複数の仮想領域Ｒ１の各々の領域内には、屈曲部３３Ｑが１つずつ位置する。
【００９１】
なお、センシング電極線３３ＳＲの線幅は、６μｍ以下であることが好ましい。センシング電極線３３ＳＲの線幅が６μｍ以下であれば、電極線パターンと画素パターンとの重ね合わせに際して、モアレとして視認される縞のコントラストが高くなることが抑えられるため、モアレが視認され難くなる。また、電極線が、光の透過や反射によって視認されることが抑えられるため、表示装置１００における表示品質が低下することが抑えられる。
【００９２】
［ドライブ電極の構成］
図１０および図１１を参照して、ドライブ電極３１ＤＰの構成について説明する。
図１０が示すように、複数のドライブ電極線３１ＤＲの各々は、複数の屈曲部３１Ｑを含む屈曲線形状を有している。複数のドライブ電極線３１ＤＲは、ドライブ電極線３１ＤＲ間に間隔を空け、第１電極方向Ｄ１に沿って並べられている。１つのドライブ電極３１ＤＰを構成する複数のドライブ電極線３１ＤＲの各々は、第２電極方向Ｄ２における一方の端部にてドライブパッド３１Ｐに接続されている。
【００９３】
詳細には、複数のドライブ電極線３１ＤＲの各々は、直線形状を有した短線部３１Ｅの集合である。各短線部３１Ｅは、ドライブ電極線３１ＤＲに沿って互いに隣り合う屈曲部３１Ｑを結ぶ。すなわち、各ドライブ電極線３１ＤＲは、第２電極方向Ｄ２に沿って並ぶ複数の短線部３１Ｅと、互いに隣り合う２つの短線部３１Ｅの連結される部分である屈曲部３１Ｑとを含んでいる。換言すれば、複数のドライブ電極線３１ＤＲの各々は、複数の短線部３１Ｅが屈曲部３１Ｑを介して連なり、第２電極方向Ｄ２に沿って延びる折れ線形状を有する。
【００９４】
短線部３１Ｅの延びる方向に沿って短線部３１Ｅの有する長さは長さＬ２であり、複数の短線部３１Ｅには、互いに異なる長さＬ２を有する短線部３１Ｅが含まれる。すなわち、複数の短線部３１Ｅにおいて、長さＬ２は一定ではない。第２電極方向Ｄ２に沿って並ぶ複数の短線部３１Ｅのなかで、短線部３１Ｅの並びの順序に対し長さＬ２は不規則に変化している。
【００９５】
第２電極方向Ｄ２に沿って延びる直線である基準線Ｂ１に対して短線部３１Ｅの有する角度は傾きθ２であり、複数の短線部３１Ｅには、互いに異なる傾きθ２を有する短線部３１Ｅが含まれる。すなわち、複数の短線部３１Ｅにおいて、傾きθ２は一定ではない。複数の短線部３１Ｅには、正の傾きθ２を有する短線部３１Ｅと、負の傾きθ２を有する短線部３１Ｅとが含まれている。なお、複数の短線部３１Ｅには、傾きθ２が０°である短線部３１Ｅが含まれてもよい。
【００９６】
第２電極方向Ｄ２に沿って並ぶ複数の短線部３１Ｅの中で、短線部３１Ｅの並びの順序に対し傾きθ２の絶対値は不規則に変化している。なお、第２電極方向Ｄ２に沿って並ぶ複数の短線部３１Ｅの中で、短線部３１Ｅの並びの順序に対し傾きθ２の正負は不規則に変化してもよい。すなわち、１つのドライブ電極線３１ＤＲは、第２電極方向Ｄ２に沿って、正の傾きθ２を有する短線部３１Ｅが連続して並ぶ部分を有していてもよいし、負の傾きθ２を有する短線部３１Ｅが連続して並ぶ部分を有していてもよい。また、１つのドライブ電極線３１ＤＲは、正の傾きθ２を有する短線部３１Ｅと負の傾きθ２を有する短線部３１Ｅとが交互に並ぶ部分を有していてもよい。
【００９７】
こうしたドライブ電極線３１ＤＲにおいては、ドライブ電極線３１ＤＲに沿って互いに隣り合う屈曲部３１Ｑ間の第２電極方向Ｄ２に沿った距離ｄ３は、ドライブ電極線３１ＤＲにおける屈曲部３１Ｑの並ぶ順序に対し不規則に変化している。また、ドライブ電極線３１ＤＲに沿って互いに隣り合う屈曲部３１Ｑ間の第１電極方向Ｄ１に沿った距離ｄ４は、ドライブ電極線３１ＤＲにおける屈曲部３１Ｑの並ぶ順序に対し不規則に変化している。
【００９８】
１つのドライブ電極線３１ＤＲが有する屈曲部３１Ｑの数を屈曲部数とするとき、複数のドライブ電極線３１ＤＲの間における屈曲部数のばらつき、すなわち、ドライブ電極群における屈曲部数のばらつきは、５％以下であることが好ましく、各ドライブ電極線３１ＤＲの屈曲部数は等しいことがさらに好ましい。複数のドライブ電極３１ＤＰに含まれる全てのドライブ電極線３１ＤＲに対し、ドライブ電極線３１ＤＲごとの屈曲部数の算術平均値を平均値Ａｄａｖｅとする。複数のドライブ電極３１ＤＰに含まれる全てのドライブ電極線３１ＤＲに対し、ドライブ電極線３１ＤＲごとの屈曲部数の最大値を最大値Ａｄｍａｘとする。複数のドライブ電極３１ＤＰに含まれる全てのドライブ電極線３１ＤＲに対し、ドライブ電極線３１ＤＲごとの屈曲部数の最小値を最小値Ａｄｍｉｎとする。この際に、上記屈曲部数のばらつきは、（Ａｄｍａｘ＋Ａｄｍｉｎ）／（２×Ａｄａｖｅ）×１００によって与えられる。
【００９９】
複数のドライブ電極線３１ＤＲの間における屈曲部数のばらつきが上記範囲内であれば、互いに隣り合うドライブ電極線３１ＤＲが、交差したり接触したりすることが抑えられる。
【０１００】
図１１が示すように、各ドライブ電極線３１ＤＲに沿って、各ドライブ電極線３１ＤＲと重なるように、各々が同じ大きさを有し、第２電極方向Ｄ２に沿って並ぶ複数の仮想領域Ｒ２を配置する。すなわち、仮想領域Ｒ２は、第２電極方向Ｄ２に沿って所定の間隔ごとに１つずつ位置している。最も端に位置する仮想領域Ｒ２は、ドライブ電極線３１ＤＲの端部に配置されてもよいし、ドライブ電極線３１ＤＲの端部から離れた位置に配置されてもよい。こうした仮想領域Ｒ２を設定したとき、複数の仮想領域Ｒ２の各々の領域内には、屈曲部３１Ｑが１つずつ位置する。
なお、ドライブ電極線３１ＤＲの線幅も、センシング電極線３３ＳＲの線幅と同様に、６μｍ以下であることが好ましい。
【０１０１】
［導電性フィルムの詳細構造］
図１２を参照して、センシング電極線３３ＳＲとドライブ電極線３１ＤＲとが重ね合わされることによって形成されるパターンである電極線パターンを中心に、導電性フィルム２１の詳細構造について説明するとともに、その作用について説明する。
【０１０２】
図１２が示すように、導電性フィルム２１では、透明誘電体基板３３の表面と対向する方向から見て、上述の複数のセンシング電極線３３ＳＲから構成されるパターンと、複数のドライブ電極線３１ＤＲから構成されるパターンとが重ね合わされたパターンが形成されている。このとき、センシング電極線３３ＳＲの延びる方向とドライブ電極線３１ＤＲの延びる方向とが互いに直交するように、これらの電極線が重ねられている。すなわち、センシング電極線３３ＳＲの延びる方向とドライブ電極線３１ＤＲの並ぶ方向とは、第１電極方向Ｄ１であって、同一の方向である。また、ドライブ電極線３１ＤＲの延びる方向とセンシング電極線３３ＳＲの並ぶ方向とは、第２電極方向Ｄ２であって同一の方向である。
【０１０３】
また、センシング電極線３３ＳＲの延びる方向とドライブ電極線３１ＤＲの延びる方向とは、画素配列の延びる方向と平行である。すなわち、第１電極方向Ｄ１と第１画素方向Ｇ１とが同一の方向であり、第２電極方向Ｄ２と第２画素方向Ｇ２とが同一の方向である。
【０１０４】
上述のように、センシング電極線３３ＳＲでは、隣り合う屈曲部３３Ｑ間の第１電極方向Ｄ１に沿った距離ｄ１、および、第２電極方向Ｄ２に沿った距離ｄ２が、屈曲部３３Ｑの並ぶ順序に対し不規則に変化している。さらに、ドライブ電極線３１ＤＲも、同様の不規則性を有している。
【０１０５】
こうした構成によれば、複数のセンシング電極線３３ＳＲと複数のドライブ電極線３１ＤＲとから構成される電極線パターンの周期性、すなわち、第１電極方向Ｄ１および第２電極方向Ｄ２における構造体の有無の周期性は、目視では認識できない程度に極めて低い。それゆえ、こうした電極線パターンが用いられる場合、モアレの抑制に関して、画素パターンが有する周期性の影響が低く抑えられる。したがって、こうした電極線パターンを有するタッチパネル２０を、大きさや解像度の異なる複数の表示パネル１０と重ね合わせた場合にも、それぞれの表示パネル１０に対して、モアレが視認されることが抑えられる。
なお、センシング電極線５３ＳＲの延びる方向とドライブ電極線５１ＤＲの延びる方向とが、画素配列の延びる方向に対して傾斜していてもよい。
【０１０６】
すなわち、図１３が示すように、第１電極方向Ｄ１と第１画素方向Ｇ１とのなす角度が０°および９０°とは異なる角度αとなるように、電極線パターンと画素パターンとが配置されていてもよい。このとき、第２電極方向Ｄ２と第１画素方向Ｇ１とのなす角の角度は、−（９０−α）°である。
【０１０７】
また、図１２および図１３に例示した構成では、センシング電極線３３ＳＲの延びる方向とドライブ電極線３１ＤＲの延びる方向とが互いに直交している。これに代えて、センシング電極線３３ＳＲの延びる方向である第１電極方向Ｄ１とドライブ電極線３１ＤＲの延びる方向である第２電極方向Ｄ２とは、互いに直交せず、第１電極方向Ｄ１とドライブ電極線３１ＤＲの並ぶ方向である第２並列方向Ｈ２とは、互いに異なる方向であり、かつ、第２電極方向Ｄ２とセンシング電極線３３ＳＲの並ぶ方向である第１並列方向Ｈ１とは、互いに異なる方向であってもよい。
【０１０８】
図１４に示される例では、第１電極方向Ｄ１と第２電極方向Ｄ２とは、０°および９０°とは異なる角度をなしている。そして、複数のセンシング電極線５３ＳＲは、第１電極方向Ｄ１と直交する第１並列方向Ｈ１に沿って並び、複数のドライブ電極線５１ＤＲは、第２電極方向Ｄ２と直交する第２並列方向Ｈ２に沿って並んでいる。
【０１０９】
さらに、第１電極方向Ｄ１と第１画素方向Ｇ１とのなす角度が角度βとなり、第２電極方向Ｄ２と第１画素方向Ｇ１とのなす角度が角度γとなるように、電極線パターンと画素パターンとが配置されている。角度βと角度γとは、０°および９０°とは異なる。
【０１１０】
図１５が示すように、センシング電極線３３ＳＲの延びる方向である第１電極方向Ｄ１と画素１５Ｐの並ぶ方向である第１画素方向Ｇ１とのなす角の角度を角度Φとするとき、角度Φは、１５°≦Φ≦４０°、５０°≦Φ≦７５°、−４０°≦Φ≦−１５°、および、−７５°≦Φ≦−５０°のいずれかを満たすことが好ましい。またこのとき、ドライブ電極線３１ＤＲの延びる方向である第２電極方向Ｄ２と第１画素方向Ｇ１とのなす角の角度は、−Φであることが好ましい。
【０１１１】
上述した角度Φの範囲は、先の図５〜図７に示したような、矩形または菱形の並ぶ電極線パターンと、第１画素幅Ｐ１および第２画素幅Ｐ２の互いに異なる複数種類の画素パターンとを用いたシミュレーションから得られる。こうしたシミュレーションでは、第１電極方向Ｄ１と第１画素方向Ｇ１とのなす角度が複数種類に変えられ、電極線のパターンと画素のパターンとが各角度で重ねられたときのモアレの度合いが数値計算される。シミュレーションの結果では、第１電極方向Ｄ１と第１画素方向Ｇ１とのなす角の角度が、上記角度Φの範囲として示した範囲内にあるとき、モアレの視認が抑えられた。さらにこのとき、第２電極方向Ｄ２と第１画素方向Ｇ１とのなす角の角度が−Φである菱形の並ぶ電極線パターンでは、特にモアレの視認が抑えられた。
【０１１２】
なお、上述したシミュレーションは、例えば、フーリエ解析を利用して行われる。フーリエ解析では、重ね合わされるパターンの二次元データに対してフーリエ変換を行って周波数情報を取得し、得られた二次元フーリエパターンの畳み込み（Ｃｏｎｖｏｌｕｔｉｏｎ）を計算した上で、２次元マスクをかけて、逆フーリエ変換によって画像の再構成を行う。モアレのピッチは、重ね合わされる元のパターンの周期より大きいため、上記２次元マスクは、２次元マスクによって高周波成分が取り除かれ、低周波成分のみが取り出されるようにかければよい。マスクの大きさを、人間の視覚応答特性に応じて決まるサイズに設定することによって、画像の再構成後に、モアレのコントラストやピッチや角度を算出することに基づき、モアレが視認されるか否かを判断できる。
【０１１３】
［電極線パターンの作成方法］
図１６〜図１８を参照して、上述の複数のセンシング電極線３３ＳＲと複数のドライブ電極線３１ＤＲとからなる電極線パターンの作成方法について説明する。以下では、センシング電極線３３ＳＲからなるパターンの作成方法について説明する。
本実施形態のセンシング電極線３３ＳＲのパターンは、直線形状を有する複数の基準電極線から構成されるパターンを基に作成される。
【０１１４】
図１６が示すように、基準電極線４０ＫＲは、第１電極方向Ｄ１に沿って延びる直線形状を有し、複数の基準電極線４０ＫＲは、所定の間隔である基準間隔Ｐｋをあけて、第２電極方向Ｄ２に沿って並んでいる。センシング電極線３３ＳＲのパターンの作成の際には、まず、基準電極線４０ＫＲに対して、複数の変位点４０Ｊが設定される。変位点４０Ｊは、基準電極線４０ＫＲ上に、所定の距離である変位点距離Ｐｘをあけて１つずつ並ぶ。最も端に位置する変位点４０Ｊは、基準電極線４０ＫＲの端部に配置されてもよいし、基準電極線４０ＫＲの端部から離れた位置に配置されてもよい。
【０１１５】
図１７が示すように、複数の基準電極線４０ＫＲにおける各変位点４０Ｊの位置が不規則に変位させられることによって、複数のセンシング電極線３３ＳＲから構成されるパターンが形成される。変位点４０Ｊの位置は、変位点４０Ｊを中心とする正方形形状の変位領域Ｓ内で動かされる。図１７では、センシング電極線３３ＳＲを太線で、基準電極線４０ＫＲを細線で示している。
【０１１６】
１つのセンシング電極線３３ＳＲは、１つの基準電極線４０ＫＲにおける各変位点４０Ｊの位置が、変位点４０Ｊごとの変位領域Ｓ内で変位点４０Ｊの並びの順序に対して不規則に変位した形状を有する。変位領域Ｓ内で変位した後の変位点４０Ｊが、センシング電極線３３ＳＲの屈曲部３３Ｑである。複数の基準電極線４０ＫＲにおける各変位点４０Ｊの位置が、各基準電極線４０ＫＲにおける変位点４０Ｊの並びの順序に対し不規則に変位されることによって、複数のセンシング電極線３３ＳＲから構成されるパターンが形成される。
【０１１７】
複数の基準電極線４０ＫＲから構成される電極線パターンの周期性を決定するパラメータ、すなわち、基準間隔Ｐｋは、この電極線パターンと表示パネル１０の画素パターンとを重ね合わせたときに、モアレの発生が抑えられる値に設定されることが好ましい。
【０１１８】
さらに、基準間隔Ｐｋは、表示パネル１０における第１画素幅Ｐ１および第２画素幅Ｐ２の１０％以上３００％以下の範囲で設定されることが好ましい。第１画素幅Ｐ１と第２画素幅Ｐ２とが異なる場合には、第１画素幅Ｐ１および第２画素幅Ｐ２のうちの大きい方の画素幅が基準とされればよい。
【０１１９】
基準間隔Ｐｋが第１画素幅Ｐ１および第２画素幅Ｐ２の１０％以上であれば、操作面と対向する方向から見て、操作面内にて電極線の占める割合が過剰になりすぎないため、タッチパネル２０における光の透過率の低下が抑えられる。一方、基準間隔Ｐｋが第１画素幅Ｐ１および第２画素幅Ｐ２の３００％以下であれば、タッチパネルにおける位置の検出精度が高められる。
【０１２０】
変位点距離Ｐｘは、基準間隔Ｐｋの０．９０倍以上１．１０倍以下であることが好ましい。変位点距離Ｐｘが、基準間隔Ｐｋの０．９０倍以上であれば、センシング電極線３３ＳＲにおける屈曲部３３Ｑの数が多くなりすぎないため、センシング電極線３３ＳＲが長くなって操作面内にて電極線の占める割合が過剰になることが抑えられる。その結果、タッチパネル２０における光の透過率の低下や抵抗値の増大が抑えられる。一方、変位点距離Ｐｘが、基準間隔Ｐｋの１．１０倍以下であれば、変位点４０Ｊの数が十分に確保され、変位点４０Ｊの変位によって、電極線パターンの周期性が十分に低下する。
【０１２１】
変位領域Ｓは、第１電極方向Ｄ１に沿って延びる辺と第２電極方向Ｄ２に沿って延びる辺とを有する正方形形状を有する。変位領域Ｓの一辺の長さである長さｒは、変位点距離Ｐｘの０．３０倍以上０．８０倍以下であることが好ましく、０．５５倍以上０．８０倍以下であることがさらに好ましい。
【０１２２】
複数のドライブ電極線３１ＤＲから構成されるパターンも、複数のセンシング電極線３３ＳＲから構成されるパターンと同様に、直線形状を有する複数の基準電極線に設定された変位点を不規則に変位させることによって作成される。
次に、変位領域Ｓにおける長さｒの好ましい範囲の規定理由について、各試験例に対するモアレのシミュレーション結果を用い、図１８を参照して説明する。
【０１２３】
図１８は、フーリエ解析を利用して、変位領域Ｓの大きさと、電極線パターンと画素パターンとの重ね合わせによって生じるモアレのコントラストとの関係を解析した結果を示す図である。
【０１２４】
具体的には、まず、長さｒを複数種類に変え、変位領域Ｓ内で変位点４０Ｊを変位させた電極線パターンを長さｒごとに１つずつ得る。次いで、第１画素幅Ｐ１および第２画素幅Ｐ２の異なる複数の画素パターンと、上記電極線パターンとを用い、これらの電極線パターンと画素パターンとを重ね合わせた画像に対して、二次元フーリエ変換を行う。すなわち、電極線パターンと各画素パターンとの重ね合わせから得る画素パターンごとの画像の二次元フーリエ変換を、電極線パターンごとに得る。二次元フーリエ変換によって得られたパワースペクトルにおいて、低周波領域に現れるピークが、モアレとして視認される縞の周期性に由来するピークの１次項であり、このピークの強度が大きいほど、生じるモアレのコントラストが高いことを示す。
【０１２５】
図１８の解析結果を得るために用いた各試験例の電極線パターンおよび画素パターンの構成を下記に示す。
＜試験例の電極線パターン＞
基準電極線のパターンとして、図６に示す矩形の並ぶパターンと、図７に示す菱形の並ぶパターンとを用いた。各パターンにおいて、センシング電極線３３ＳＲの基となる基準電極線のパターンおよびドライブ電極線３１ＤＲの基となる基準電極線のパターンの双方にて、基準間隔Ｐｋは３７２μｍである。こうした基準電極線のパターンの各々に、変位点距離Ｐｘを３７２μｍとして変位点４０Ｊを設定し、変位領域Ｓ内で変位点４０Ｊを変位させた。そして、矩形の並ぶパターンと菱形の並ぶパターンとのそれぞれについて、変位領域Ｓにおける長さｒの変位点距離Ｐｘに対する割合を、ｒ＝Ｐｘであるときを１００％として、０％〜１００％まで１０％ごとに変えた１１種類の電極線パターンを作成した。
【０１２６】
矩形の並ぶパターンに基づいて作成した電極線パターンと画素パターンとが重ね合わされた状態において、第１電極方向Ｄ１と第１画素方向Ｇ１とのなす角の角度は４０°であり、第２電極方向Ｄ２と第１画素方向Ｇ１とのなす角の角度は−５０°である。
【０１２７】
菱形の並ぶパターンに基づいて作成した電極線パターンと画素パターンとが重ね合わされた状態において、第１電極方向Ｄ１と第１画素方向Ｇ１とのなす角の角度は４０°であり、第２電極方向Ｄ２と第１画素方向Ｇ１とのなす角の角度は−４０°である。
＜試験例の画素パターン＞
ＨＤ、ＨＤ＋、ＦＨＤの解像度に相当する画素の大きさを有する３種類の画素パターンを用いた。
【０１２８】
図１８において、横軸は、ｒ＝Ｐｘであるときを１００％として、長さｒの変位点距離Ｐｘに対する割合を示し、縦軸は、長さｒが変位点距離Ｐｘの０％であるとき、すなわち、変位点４０Ｊを変位させていない基準電極線からなるパターンを用いた場合を１として規格化した上記ピーク強度を示す。
【０１２９】
また、図１８に示す曲線は、画素パターンの種類ごとの、矩形の並ぶパターンに基づいて作成した電極線パターンとの重ね合わせの解析結果と、菱形の並ぶパターンに基づいて作成した電極線パターンとの重ね合わせの解析結果との近似曲線である。
【０１３０】
図１８が示すように、いずれの画素パターンを用いた結果においても、おおまかには、変位領域Ｓの長さｒとピーク強度との関係には、同様の傾向がみられ、長さｒが大きくなるほど、ピーク強度は低下する。
【０１３１】
詳細には、ＨＤに相当する画素パターンを用いた結果では、長さｒの変位点距離Ｐｘに対する割合が３０％より小さい範囲では、ピーク強度の低下が緩やかであり、モアレのコントラストを低下させる効果が小さい。一方、いずれの画素パターンを用いた結果においても、長さｒの変位点距離Ｐｘに対する割合が３０％以上８０％以下である範囲では、ピーク強度の低下が著しく、長さｒの変位点距離Ｐｘに対する割合が８０％を超える範囲では、ピーク強度の低下が小さい。
【０１３２】
変位領域Ｓが過度に大きいと、電極線の偏りに起因した砂目と言われるパターンが視認され易くなる。したがって、こうした砂目が生じることを抑えつつ、モアレのコントラストを低下させるためには、長さｒの変位点距離Ｐｘに対する割合は、図中○印が示す範囲、すなわち、３０％以上８０％以下であることが好ましい。
【０１３３】
また、すべての結果を平均すると、長さｒの変位点距離Ｐｘに対する割合が１００％であるとき、上記割合が０％であるときと比較してピーク強度は６割程度低下する。そして、上記割合が５５％であるとき、上記割合が０％であるときと比較してピーク強度は３割程度低下する。したがって、上記割合が５５％であれば、上記割合が１００％であるときのピーク強度の低下の程度の半分程度にまで、ピーク強度が低下する。
【０１３４】
そのため、ピーク強度の低下の程度を適度に確保してモアレのコントラストを低下させるためには、長さｒの変位点距離Ｐｘに対する割合は、図中◎印が示す範囲、すなわち、５５％以上８０％以下であることがさらに好ましい。
【０１３５】
以上の結果から、変位領域Ｓにおける長さｒは、変位点距離Ｐｘの０．３０倍以上０．８０倍以下であることが好ましく、０．５５倍以上０．８０倍以下であることがさらに好ましいことがわかる。長さｒが上記範囲内であれば、モアレのコントラストが低く抑えられるため、モアレが視認されることが抑えられる。
【０１３６】
なお、基準間隔Ｐｋが上記とは異なる電極線パターンを用いた場合や、電極線の延びる方向が画素配列の延びる方向に対して上記とは異なる角度に傾斜している場合であっても、変位領域Ｓの大きさとモアレのコントラストとの関係について、図１８に示す結果と同様の傾向を有する結果が得られることが発明者によって確認されている。
【０１３７】
基準電極線４０ＫＲにおける基準間隔Ｐｋや第１電極方向Ｄ１と第２電極方向Ｄ２とのなす角度等の各パラメータは、以下のように設定されることが好ましい。すなわち、フーリエ解析等を利用して、各パラメータは、基準電極線４０ＫＲのパターンが、このパターンを大きさや解像度の異なる複数の表示パネル１０と重ね合わせた場合に、それぞれの表示パネル１０に対して、モアレが抑えられるパターンとなるように設定されることが好ましい。こうした構成によれば、基準電極線４０ＫＲのパターンに基づいて変位点４０Ｊを変位させることによって作成された電極線パターンについて、モアレが視認されることがさらに抑えられる。
【０１３８】
本実施形態の電極線パターンは、基準電極線４０ＫＲにおける各パラメータの設定のために用いられた複数の表示パネル１０はもちろん、変位点４０Ｊの不規則な変位によって周期性が低下させられる結果、これら複数の表示パネル１０以外のより様々な画素パターンを有する表示パネル１０に対して、モアレの発生を抑えられる。その結果、本実施形態の電極線パターンを有するタッチパネル２０を備える表示装置１００において、表示品質の低下が抑えられる。
【０１３９】
上記実施形態において、透明誘電体基板３３は透明誘電体層の一例である。そして、透明誘電体基板３３の表面を第１面とするとき、透明誘電体基板３３の裏面が第２面であり、センシング電極線３３ＳＲが第１電極線であり、センシング電極群が第１電極群であり、ドライブ電極線３１ＤＲが第２電極線である。そして、第１電極方向Ｄ１と第２電極方向Ｄ２とが直交する構成では、第１電極方向Ｄ１が第１方向かつ第２交差方向であり、第２電極方向Ｄ２が第２方向かつ第１交差方向である。さらに、第１電極方向Ｄ１と第２電極方向Ｄ２とが直交しない構成では、第１電極方向Ｄ１が第１方向であり、第１並列方向Ｈ１が第１交差方向であり、第２電極方向Ｄ２が第２方向であり、第２並列方向Ｈ２が第２交差方向である。
【０１４０】
また、透明誘電体基板３３の表面を第２面とするとき、透明誘電体基板３３の裏面が第１面であり、センシング電極線３３ＳＲが第２電極線であり、ドライブ電極線３１ＤＲが第１電極線であり、ドライブ電極線群が第１電極線群である。そして、第１電極方向Ｄ１と第２電極方向Ｄ２とが直交する構成では、第２電極方向Ｄ２が第１方向かつ第２交差方向であり、第１電極方向Ｄ１が第２方向かつ第１交差方向である。さらに、第１電極方向Ｄ１と第２電極方向Ｄ２とが直交しない構成では、第２電極方向Ｄ２が第１方向であり、第２並列方向Ｈ２が第１交差方向であり、第１電極方向Ｄ１が第２方向であり、第１並列方向Ｈ１が第２交差方向である。
【０１４１】
以上説明したように、本実施形態によれば、以下に列挙する効果を得ることができる。
（１）センシング電極線３３ＳＲおよびドライブ電極線３１ＤＲにおいて、互いに隣り合う屈曲部間の電極線の延びる方向に沿った距離、および、電極線の並ぶ方向に沿った距離が、屈曲部の並ぶ順序に対し不規則に変化している。こうした構成によれば、複数のセンシング電極線３３ＳＲと複数のドライブ電極線３１ＤＲとから構成される電極線パターンが、不規則に屈曲する屈曲線を含むため、従来のように直線形状や規則的な屈曲線形状の電極線からなる電極線パターンと比較して、電極線パターンの周期性が低い。そのため、モアレの抑制に関して、画素パターンが有する周期性の影響が低く抑えられる。したがって、こうした電極線パターンを有するタッチパネル２０を、大きさや解像度の異なる複数の表示パネル１０と重ね合わせた場合にも、モアレが視認されることを抑えることが可能であり、従来と比較して、より様々な表示パネル１０に対して、モアレの視認を抑えられる。
【０１４２】
（２）センシング電極線３３ＳＲおよびドライブ電極線３１ＤＲの屈曲線形状は、複数の短線部３３Ｅ，３１Ｅが屈曲部３３Ｑ，３１Ｑを介して連なる折れ線形状であり、複数の短線部３３Ｅ，３１Ｅには、電極線の延びる方向に対して傾斜した直線形状を有する短線部３３Ｅ，３１Ｅが含まれる。センシング電極線３３ＳＲやドライブ電極線３１ＤＲがこのように構成されることによって、不規則に屈曲する屈曲線形状が的確に実現される。
【０１４３】
（３）センシング電極線群における屈曲部３３Ｑの数のばらつきは５％以下であり、ドライブ電極線群における屈曲部３１Ｑの数のばらつきは５％以下である。こうした構成によれば、互いに隣り合うセンシング電極線３３ＳＲや、互いに隣り合うドライブ電極線３１ＤＲが、互いに交差したり接触したりすることが抑えられる。そのため、電極線の交差部分もしくは接触部分に形成される角部にて電極線が太くなることに起因して、電極線が視認され易くなることが抑えられる。また、変位領域Ｓの大きさの細かな設定等、互いに隣り合う電極線が互いに交差したり接触したりすることを抑えるために要する設計の負荷も軽減される。
【０１４４】
（４）センシング電極線３３ＳＲおよびドライブ電極線３１ＤＲにおいて、各々が同じ大きさを有し、かつ、電極線の延びる方向に沿って所定の間隔ごとに位置する複数の仮想領域Ｒ１，Ｒ２に対し、各仮想領域Ｒ１，Ｒ２内に屈曲部３３Ｑ，３１Ｑが１つずつ位置する。互いに隣り合う屈曲部３３Ｑ，３１Ｑを結ぶ線分内には、これら以外の他の屈曲部３３Ｑ，３１Ｑが位置しないため、こうした線分の長さが長いほど、屈曲線形状の不規則性は低い。この点、上記構成によれば、１つの電極線内で屈曲部の位置が極端に偏ることが抑えられるため、互いに隣り合う屈曲部３３Ｑ，３１Ｑを結ぶ線分の長さが極端に長い構成と比べ、不規則な屈曲線形状を的確に実現することができる。
【０１４５】
（５）センシング電極線３３ＳＲおよびドライブ電極線３１ＤＲの屈曲線形状は、以下のような形状である。すなわち、直線形状を有すると共に基準間隔Ｐｋをあけて並ぶ仮想的な基準電極線が設定され、かつ、各基準電極線上に位置する複数の変位点４０Ｊの位置が、屈曲部３３Ｑ，３１Ｑの位置になるように、変位点４０Ｊの並びの順序に対し変位点４０Ｊが不規則に変位した形状が、屈曲線形状である。そして、互いに隣り合う変位前の変位点４０Ｊ間の距離である変位点距離Ｐｘは、基準間隔Ｐｋの０．９０倍以上１．１０倍以下である。
【０１４６】
変位点距離Ｐｘが、基準間隔Ｐｋの０．９０倍以上であれば、屈曲部３３Ｑ，３１Ｑの数が多くなりすぎないため、操作面内にて電極線の占める割合が過剰になることが抑えられる。その結果、タッチパネル２０における光の透過率の低下や抵抗値の増大が抑えられる。一方、変位点距離Ｐｘが、基準間隔Ｐｋの１．１０倍以下であれば、変位点４０Ｊの数が十分に確保され、変位点４０Ｊの変位によって、電極線パターンの周期性が十分に低下する。
【０１４７】
（６）変位点４０Ｊは、正方形形状を有する変位領域Ｓ内で変位され、変位領域Ｓの１辺の長さｒは、変位点距離Ｐｘの０．３０倍以上０．８０倍以下である。長さｒが上記下限値以上であれば、基準電極線４０ＫＲに基づいて作成される電極線パターンと画素パターンとを重ね合わせた画像のフーリエ解析にて低周波領域に現れるピークの強度が低く抑えられる。したがって、電極線パターンと表示パネル１０との重ね合わせに際して生じるモアレのコントラストが低く抑えられるため、モアレが視認され難くなる。また、長さｒが上記上限値以下であれば、電極線の偏りに起因した砂目のパターンが視認され難くもなる。
【０１４８】
（７）変位領域Ｓの１辺の長さｒが、変位点距離Ｐｘの０．５５倍以上０．８０倍以下であると、上記ピークの強度がさらに低く抑えられるため、モアレがさらに視認され難くなる。
【０１４９】
（８）センシング電極線３３ＳＲの延びる方向である第１電極方向Ｄ１と画素１５Ｐの並ぶ方向である第１画素方向Ｇ１とのなす角の角度Φは、１５°≦Φ≦４０°、５０°≦Φ≦７５°、−４０°≦Φ≦−１５°、および、−７５°≦Φ≦−５０°のいずれかを満たす。角度Φが上記範囲であると、センシング電極線３３ＳＲのパターンの基となる矩形または菱形の並ぶ電極線パターンにて、モアレの視認が抑えられる。したがって、こうした矩形または菱形の並ぶ電極線パターンから作成される電極線パターンにおいても、モアレが視認されることが的確に抑えられる。また、モアレの発生が抑えられ易いため、不規則性の過度な付与によって電極線に偏りが生じて砂目のパターンが視認されることも避け易い。
【０１５０】
（９）ドライブ電極線３１ＤＲの延びる方向である第２電極方向Ｄ２は、第１画素方向Ｇ１とのなす角度として−Φを有する。こうした構成によれば、モアレが視認されることが的確に抑えられるとともに、第１電極方向Ｄ１と第２電極方向Ｄ２と第１画素方向Ｇ１との角度の関係の設定についての負荷が軽減される。
【０１５１】
［変形例］
上記実施形態は、以下のように変更して実施することが可能である。
・センシング電極線３３ＳＲあるいはドライブ電極線３１ＤＲは、直線形状を有する短線部３３Ｅ，３１Ｅの組み合わせからなる屈曲線形状に限らず、屈曲部が曲率を有する曲線形状に形成されていてもよい。
【０１５２】
・複数のセンシング電極線３３ＳＲから構成されるパターンと、複数のドライブ電極線３１ＤＲから構成されるパターンとのいずれか一方のみが、不規則に屈曲する屈曲線形状を有する電極線からなるパターンであってもよい。また、複数のセンシング電極線３３ＳＲ、あるいは、複数のドライブ電極線３１ＤＲには、不規則に屈曲する屈曲線形状とは異なる形状の電極線が含まれてもよい。電極線のすべてが不規則に屈曲する屈曲線形状を有していなくとも、複数のセンシング電極線３３ＳＲと複数のドライブ電極線３１ＤＲとからなる電極線パターンに、不規則に屈曲する屈曲線が含まれれば、従来のように規則的な電極線パターンと比較して、電極線パターンの周期性は低下する。
【０１５３】
ただし、複数のセンシング電極線３３ＳＲ、および、複数のドライブ電極線３１ＤＲの双方に不規則に屈曲する屈曲線形状の電極線が含まれる構成では、複数のセンシング電極線３３ＳＲのみ、あるいは、複数のドライブ電極線３１ＤＲのみに不規則に屈曲する屈曲線形状の電極線が含まれる構成と比較して、電極線パターンの周期性が低くなる。したがって、より様々な表示パネル１０に対して、モアレが視認されることが抑えられる。
【０１５４】
・上記実施形態では、センシング電極線３３ＳＲやドライブ電極線３１ＤＲの形状は、基準間隔Ｐｋをあけて配置された基準電極線４０ＫＲのパターンに基づいて決定された。これに限らず、センシング電極線３３ＳＲやドライブ電極線３１ＤＲにて、互いに隣り合う屈曲部間の電極線の延びる方向に沿った距離、および、電極線の並ぶ方向に沿った距離が、屈曲部の並ぶ順序に対し不規則に変化する構成であれば、すなわち、センシング電極線３３ＳＲやドライブ電極線３１ＤＲが、不規則に屈曲する屈曲線形状を有する構成であれば、電極線パターンの周期性は低下するため、上記（１）に準じた効果は得られる。
【０１５５】
・センシング電極線３３ＳＲの延びる方向である第１電極方向Ｄ１とセンシング電極線３３ＳＲの並ぶ方向である第１並列方向Ｈ１とは、互いに直交していなくてもよく、これらの方向は互いに交差していればよい。同様に、ドライブ電極線３１ＤＲの延びる方向である第２電極方向Ｄ２とドライブ電極線３１ＤＲの並ぶ方向である第２並列方向Ｈ２とは、互いに直交していなくてもよく、これらの方向は互いに交差していればよい。すなわち、一方の電極線の延びる方向である第１方向と、一方の電極線の並ぶ方向である第１交差方向とは互いに交差する方向であればよく、他方の電極線の延びる方向である第２方向と、他方の電極線の並ぶ方向である第２交差方向とは、互いに交差する方向であればよい。
【０１５６】
・図１９が示すように、タッチパネル２０を構成する導電性フィルム２１において、透明基板３１および透明接着層３２が割愛されてもよい。こうした構成では、透明誘電体基板３３の面のなかで、表示パネル１０と対向する裏面がドライブ電極面３１Ｓとして設定され、ドライブ電極面３１Ｓには、ドライブ電極３１ＤＰが位置する。そして、透明誘電体基板３３における裏面と反対側の面である表面はセンシング電極面３３Ｓであって、センシング電極面３３Ｓには、センシング電極３３ＳＰが位置する。なお、こうした構成において、ドライブ電極３１ＤＰは、例えば、透明誘電体基板３３の一方の面に形成された１つの薄膜が、エッチングによってパターニングされることにより形成され、センシング電極３３ＳＰは、例えば、透明誘電体基板３３の他方の面に形成された１つの薄膜が、エッチングによってパターニングされることにより形成される。
【０１５７】
なお、上記実施形態のように、センシング電極線３３ＳＲとドライブ電極線３１ＤＲとが互いに異なる基材上に形成される構成では、１つの基材の両面に電極線が形成される構成と比較して、電極線の形成が容易である。
【０１５８】
・図２０が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１５９】
こうした構成において、例えば、ドライブ電極３１ＤＰは、透明基板３１のドライブ電極面３１Ｓとなる１つの面に形成され、センシング電極３３ＳＰは、透明誘電体基板３３のセンシング電極面３３Ｓとなる１つの面に形成される。そして、透明基板３１においてドライブ電極面３１Ｓの反対側の面と、透明誘電体基板３３においてセンシング電極面３３Ｓの反対側の面とが、透明接着層３２によって接着される。この場合、透明基板３１、透明接着層３２、および、透明誘電体基板３３が、透明誘電体層を構成し、透明基板３１のドライブ電極面３１Ｓが、第１面および第２面の一方であり、透明誘電体基板３３のセンシング電極面３３Ｓが、第１面および第２面の他方である。
【０１６０】
・表示パネル１０とタッチパネル２０とは、個別に形成されていなくともよく、タッチパネル２０は、表示パネル１０と一体に形成されてもよい。こうした構成では、例えば、導電性フィルム２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、導電性フィルム２１がカラーフィルタ基板１６と上側偏光板１７との間に位置するオンセル型の構成でもよい。こうした構成においては、ドライブ電極３１ＤＰとセンシング電極３３ＳＰとに挟まれる層が、透明誘電体層を構成する。
【０１６１】
［実施例］
上述した導電性フィルム、タッチパネル、および、表示装置について、具体的な実施例および比較例を用いて説明する。
＜表示パネル＞
表示装置を構成する表示パネルとして、画素の大きさの異なる下記の２種類の表示パネルを用いた。
（表示パネルＡ）
表示パネルＡの表示面は、横幅が３４４．２ｍｍ、縦幅が１９３．５ｍｍの１５．６インチサイズである。
表示パネルＡの画素数は、横方向に１３６６個、縦方向に７６８個であり、表示パネルＡの解像度は、一般的にＨＤと称される解像度である。表示パネルＡの画素は正方形形状であって、第１画素幅Ｐ１および第２画素幅Ｐ２はいずれも２５２μｍである。赤色着色層、緑色着色層、および、青色着色層の各着色層は略長方形形状を有し、各着色層の大きさは、横幅が７５μｍ、縦幅が２３１μｍである。
【０１６２】
（表示パネルＢ）
表示パネルＢの表示面は、表示パネルＡの表示面と同一の大きさを有する。
表示パネルＢの画素数は、横方向に１６００個、縦方向に９００個であり、表示パネルＢの解像度は、一般的にＨＤ＋と称される解像度である。表示パネルＢの画素は正方形形状であって、第１画素幅Ｐ１および第２画素幅Ｐ２はいずれも２１５μｍである。赤色着色層、緑色着色層、および、青色着色層の各着色層は略長方形形状を有し、各着色層の大きさは、横幅が６３μｍ、縦幅が１９５μｍである。
【０１６３】
＜タッチパネル＞
下記実施例および比較例として、互いに異なる電極線パターンを有する５種類のタッチパネルを作製した。各タッチパネルにおいて、電極線の線幅は６μｍであり、電極線は、エッチングによって形成した。
【０１６４】
（実施例１）
センシング電極線の延びる第１電極方向とドライブ電極線の延びる第２電極方向とが、０°および９０°以外の角をなすように、電極線パターンを形成した。複数のセンシング電極線は、第１電極方向と直交する第１並列方向に沿って並び、複数のドライブ電極線は、第２電極方向と直交する第２並列方向に沿って並ぶ。複数のセンシング電極線から構成されるパターンと、複数のドライブ電極線から構成されるパターンとの各々は、基準電極線上に位置する変位点を、上記実施形態にて説明した範囲内の長さｒを有する変位領域内で変位させることによって作成した。
【０１６５】
上記電極線パターンを有する実施例１のタッチパネルは、第１電極方向と第１画素方向とが０°および９０°以外の角をなすように、表示パネルに重ねられて、表示装置が形成される。すなわち、実施例１のタッチパネルは、図１４に例示したような電極線パターンを有する。
【０１６６】
（実施例２）
センシング電極線の延びる第１電極方向とドライブ電極線の延びる第２電極方向とが直交するように、電極線パターンを形成した。複数のセンシング電極線は、第２電極方向に沿って並び、複数のドライブ電極線は、第１電極方向に沿って並ぶ。複数のセンシング電極線から構成されるパターンと、複数のドライブ電極線から構成されるパターンとの各々は、基準電極線に設定された変位点を、上記実施形態にて説明した範囲内の長さｒを有する変位領域内で変位させることによって作成した。
【０１６７】
上記電極線パターンを有する実施例２のタッチパネルは、第１電極方向と第１画素方向とが０°および９０°以外の角をなすように、表示パネルに重ねられて、表示装置が形成される。すなわち、実施例２のタッチパネルは、図１３に例示したような電極線パターンを有する。
【０１６８】
（実施例３）
センシング電極線の延びる第１電極方向とドライブ電極線の延びる第２電極方向とが直交するように、電極線パターンを形成した。複数のセンシング電極線は、第２電極方向に沿って並び、複数のドライブ電極線は、第１電極方向に沿って並ぶ。複数のセンシング電極線から構成されるパターンと、複数のドライブ電極線から構成されるパターンとの各々は、基準電極線に設定された変位点を、上記実施形態にて説明した範囲の下限値以下の長さｒを有する変位領域内で変位させることによって作成した。
【０１６９】
上記電極線パターンを有する実施例３のタッチパネルは、第１電極方向と第１画素方向とが０°および９０°以外の角をなすように、表示パネルに重ねられて、表示装置が形成される。
【０１７０】
（比較例１）
直線形状を有するセンシング電極線と直線形状を有するドライブ電極線とから構成される電極線パターンを形成した。
センシング電極線の延びる第１電極方向とドライブ電極線の延びる第２電極方向とは直交し、複数のセンシング電極線は、第２電極方向に沿って並び、複数のドライブ電極線は、第１電極方向に沿って並ぶ。第２電極方向に並ぶセンシング電極線間の間隔、および、第１電極方向に並ぶドライブ電極線間の間隔は、表示パネルＡと重ねたときにモアレが視認され難くなるように、プログラムを用いて設定した。
【０１７１】
上記電極線パターンを有する比較例１のタッチパネルは、第１電極方向と第１画素方向とが直交するように、表示パネルに重ねられて、表示装置が形成される。すなわち、比較例１のタッチパネルは、図５に例示したような電極線パターンを有する。
【０１７２】
（比較例２）
直線形状を有するセンシング電極線と直線形状を有するドライブ電極線とから構成される電極線パターンを形成した。
センシング電極線の延びる第１電極方向とドライブ電極線の延びる第２電極方向とは、０°および９０°以外の角をなし、複数のセンシング電極線は、第１電極方向と直交する第１並列方向に沿って並び、複数のドライブ電極線は、第２電極方向と直交する第２並列方向に沿って並ぶ。第１電極方向と第２電極方向とのなす角度、第１並列方向に並ぶセンシング電極線間の間隔、および、第２並列方向に並ぶドライブ電極線間の間隔は、表示パネルＡと重ねたときにモアレが視認され難くなるように、プログラムを用いて設定した。
【０１７３】
上記電極線パターンを有する比較例２のタッチパネルは、第１電極方向と第１画素方向とが０°および９０°以外の角をなすように、表示パネルに重ねられて、表示装置が形成される。すなわち、比較例２のタッチパネルは、図７に例示したような電極線パターンを有する。
【０１７４】
＜評価方法＞
上記実施例および比較例のタッチパネルの各々を、上記２種類の表示パネルの各々と重ねて表示装置を形成し、人間の視覚応答が最も良好な緑色を表示させた状態で、表示面と対向する方向から表示装置を眺め、目視によってモアレが視認される程度を評価した。観測位置から表示面までの距離は３００ｍｍであった。評価結果を表１に示す。
表１にて、モアレとしてはっきりとした縞が見える場合が×、弱い縞が見える場合が△、縞が見えない場合が○である。
【０１７５】
【表１】
2016212517.tif 000003
【０１７６】
＜結果＞
比較例１のタッチパネルを用いた表示装置では、表示パネルＡに対しては弱いモアレが確認され、表示パネルＢに対しては強いモアレが確認された。比較例１のタッチパネルでは、電極線パターンが高い周期性を有しているため、表示パネルＡに合わせて電極線間の間隔が調整されてはいるものの、モアレが完全には抑えられていない。そして、電極線間の間隔の調整に用いられた表示パネルＡとは異なる画素パターンを有する表示パネルＢに対しては、強いモアレが視認される。これは、表示パネルＡに対してモアレが抑えられるように設定された電極線間の間隔は、表示パネルＢに対してモアレを抑えることのできる電極線間の間隔とは異なるからである。
【０１７７】
比較例２のタッチパネルを用いた表示装置では、表示パネルＡに対してはモアレが確認されず、表示パネルＢに対しては強いモアレが確認された。比較例２のタッチパネルでは、電極線間の間隔に加えて、電極線の延びる方向のなす角度が、表示パネルＡに合わせて調整されているため、比較例１と比較して、表示パネルＡに対してモアレが抑えられている。しかし、表示パネルＢに対しては、強いモアレが視認される。これは、表示パネルＡに対してモアレが抑えられるように設定された電極線間の間隔や電極線の延びる方向のなす角度は、表示パネルＢに対してモアレを抑えることのできる間隔や角度とは異なるからである。
【０１７８】
これに対し、実施例１、および、実施例２のタッチパネルを用いた表示装置では、表示パネルＡ、および、表示パネルＢのいずれに対しても、モアレは視認されなかった。
【０１７９】
また、実施例１，２よりも変位領域が小さくされた実施例３のタッチパネルを用いた表示装置では、実施例１，２よりはモアレの程度が強いものの、比較例１，２と比較すると、表示パネルＡ、および、表示パネルＢのいずれに対しても、均等に、モアレが視認されることが抑えられた。実施例３のタッチパネルは、実施例１，２よりも変位領域が小さいため、実施例１，２よりも電極線パターンにおける周期性の低下が小さい。そのため、実施例３では、実施例１，２と比較して、モアレが視認され易くなっている。こうした結果から、実施例１，２のように、上記実施形態にて説明した範囲内で変位領域の長さｒを設定することによって、より的確にモアレが視認されることを抑えることができることが確認された。
【０１８０】
以上のように、不規則に屈曲する屈曲線を含む電極線パターンを有する実施例１〜３のタッチパネルでは、複数種類の表示パネルと重ね合わせた場合にも、それぞれの表示パネルに対してモアレが視認されることを抑えることが可能であり、規則的な電極線から構成される電極線パターンを有する比較例１，２のタッチパネルと比較して、より様々な表示パネルに対して、モアレの視認を抑えられることが示された。
【符号の説明】
【０１８１】
Ｄ１…第１電極方向、Ｄ２…第２電極方向、Ｈ１…第１並列方向、Ｈ２…第２並列方向、Ｇ１…第１画素方向、Ｇ２…第２画素方向、ＮＤ…容量検出部、Ｒ１，Ｒ２…仮想領域、Ｓ…変位領域、Ｐｋ…基準間隔、Ｐｘ…変位点距離、１０…表示パネル、１１…下側偏光板、１２…薄膜トランジスタ基板、１３…ＴＦＴ層、１４…液晶層、１５…カラーフィルタ層、１５Ｐ…画素、１６…カラーフィルタ基板、１７…上側偏光板、２０…タッチパネル、２１…導電性フィルム、２２…カバー層、２３…透明接着層、３１…透明基板、３１ＤＰ…ドライブ電極、３１ＤＲ…ドライブ電極線、３１Ｅ…短線部、３１Ｑ…屈曲部、３３…透明誘電体基板、３３ＳＰ…センシング電極、３３ＳＲ…センシング電極線、３３Ｓ…センシング電極面、３３Ｅ…短線部、３３Ｑ…屈曲部、３４…選択回路、３５…検出回路、３６…制御部、４０ＫＲ…基準電極線、４０Ｊ…変位点、１００…表示装置。
【図１】
2016212517.tif 000004
【図２】
2016212517.tif 000005
【図３】
2016212517.tif 000006
【図４】
2016212517.tif 000007
【図５】
2016212517.tif 000008
【図６】
2016212517.tif 000009
【図７】
2016212517.tif 000010
【図８】
2016212517.tif 000011
【図９】
2016212517.tif 000012
【図１０】
2016212517.tif 000013
【図１１】
2016212517.tif 000014
【図１２】
2016212517.tif 000015
【図１３】
2016212517.tif 000016
【図１４】
2016212517.tif 000017
【図１５】
2016212517.tif 000018
【図１６】
2016212517.tif 000019
【図１７】
2016212517.tif 000020
【図１８】
2016212517.tif 000021
【図１９】
2016212517.tif 000022
【図２０】
2016212517.tif 000023